(57)【要約】【課題】画像を見るユーザーには視認しやすく、ケーブルからの漏洩電磁波による画像の盗聴が困難になり、電磁波盗聴者には視認しにくい画像を生成する。【解決手段】画像表示方法は、ＣＰＵ１１に減算器１１ａを設け、表示コントローラ４１に加算器４１ｂを設けることで、ピクセルデータＤｉｎに対して減算を行い、メモリ１２上へ展開して画像データＤ１２を作成する。画像データＤ１２をグラフィックスコントローラ２０が読み出し、画像データ２０をケーブル３０へ出力する。画像データＤ２０を表示コントローラ４１が受け取り、画像データＤ２０に対して加算を行い、ピクセルデータＤ４１ｂを列ドライバ４２へ出力する。列ドライバ４２からピクセルデータＤ４２が出力され、行ドライバ４３から走査信号Ｓ４３が出力される。表示パネル４４は、ピクセルデータＤ４２を表示する。【選択図】図１
2008164711.tif 000002
【特許請求の範囲】
【請求項１】
画像を表示するためのピクセルデータを入力し、
所定のオフセット値を用いた演算によって、前記入力されたピクセルデータの加工を行い、
前記加工されたピクセルデータをメモリ上に展開して画像データを作成し、
前記作成された画像データを所定のリフレッシュレートで伝送路へ送り、
前記伝送路から送られてきた画像データを受信し、前記画像データを構成するピクセルデータに対し、前記オフセット値の逆演算によって復元し、
前記復元されたピクセルデータを順次画面に表示することを特徴とする画像表示方法。
【請求項２】
前記オフセット値は、前記ピクセルデータが取りえる値の中間値に設定されていることを特徴とする請求項１記載の画像表示方法。
【請求項３】
前記演算は、減算処理または加算処理であり、前記逆演算は、加算処理または減算処理であることを特徴とする請求項１または２記載の画像表示方法。
【請求項４】
データを格納するメモリと、
画像を表示するためのピクセルデータを入力し、所定のオフセット値を用いた演算によって、前記入力されたピクセルデータの加工を行い、前記加工されたピクセルデータを前記メモリ上に展開して画像データを作成する制御手段と、
前記メモリから読み出した前記画像データを画面リフレッシュのために、所定のリフレッシュレートで出力する第１のコントローラと、
前記第１のコントローラから出力された画像データを伝送する伝送路と、
前記伝送路からの画像データを入力し、前記画像データに含まれる前記ピクセルデータに対して、前記オフセット値の逆演算を行って復元する第２のコントローラと、
前記復元されたピクセルデータを順次画面に表示する表示手段と、
を有することを特徴とする画像表示装置。
【請求項５】
前記制御手段は、前記オフセット値を用いた減算処理または加算処理を行うことを特徴とする請求項４記載の画像表示装置。
【請求項６】
データを格納するメモリと、
画像を表示するためのピクセルデータを入力し、前記入力されたピクセルデータを前記メモリ上に展開して画像データを作成する制御手段と、
前記メモリから画像データを読み出し、前記画像データを構成するピクセルデータに対し、所定のオフセット値を用いた演算によって加工し、前記加工された画像データを画面リフレッシュのために、所定のリフレッシュレートで出力する第１のコントローラと、
前記第１のコントローラから出力された画像データを伝送する伝送路と、
前記伝送路からの前記画像データを入力し、前記画像データに含まれるピクセルデータに対して、前記オフセット値の逆演算を行って復元する第２のコントローラと、
前記復元されたピクセルデータを順次画面に表示する表示手段と、
を有することを特徴とする画像表示装置。
【請求項７】
前記第１のコントローラでは、前記オフセット値を用いた減算処理または加算処理により前記ピクセルデータを加工することを特徴とする請求項６記載の画像表示装置。
【請求項８】
前記第２のコントローラでは、前記オフセット値を用いた加算処理または減算処理により前記ピクセルデータを復元することを特徴とする請求項６記載の画像表示装置。
【請求項９】
前記伝送路は、ケーブルであることを特徴とする請求項４〜８のいずれか１項に記載の画像表示装置。
【発明の詳細な説明】
【技術分野】
【０００１】
本発明は、例えば、現金自動支払機、顧客の個人情報を表示する装置、企業の機密情報を取り扱う情報処理装置等において、画像を見るユーザーには視認しやすく、電磁波盗聴されにくい画像を表示する画像表示方法と、この方法を用いた画像表示装置に関するものである。
【背景技術】
【０００２】
従来、画像表示方法及びそれを用いた画像表示装置の技術としては、例えば次のような文献に記載されるものがあった。
【０００３】
【特許文献１】特開平５―３０３３５７号公報
【特許文献２】特開平７―７２８５１号公報
【０００４】
特許文献１には、アクティブマトリックス薄膜トランジスタ液晶ディスプレイ用の標準インタフェースを供給する独立型コントローラを用いた画像表示装置が記載されている。また、特許文献２には、ハードウェアの構成及び制御方法を簡素化し、大容量の画像データをリアルタイムで表示する画像表示装置が記載されている。
【０００５】
この特許文献１及び２に記載された従来の画像表示装置は、例えば、画像を表示するためのピクセルデータを入力し、画面リフレッシュのために所定のリフレッシュレートで画像データを出力する制御部と、この制御部から出力された画像データを送信するケーブルと、このケーブルからの画像データを受信して画面に表示する表示部とにより構成されている。
【０００６】
前記制御部は、データを格納するメモリと、前記入力されたピクセルデータを前記メモリ上に展開して画像データを作成する中央処理装置（以下「ＣＰＵ」という。）と、前記メモリから画像データを読み出し、この画像データを所定のリフレッシュレートで前記ケーブルへ出力すると共に、第１の制御信号及びクロック信号を前記ケーブルへ出力するグラフィックスコントローラを有している。前記表示部は、表示コントローラと、列（コラム）ドライバと、行（ロー）ドライバと、表示パネルとを有している。
【０００７】
次に、従来の画像表示装置における画像表示方法について説明する。
画像を表示するためのピクセルデータがＣＰＵに入力されると、このＣＰＵにより、入力されたピクセルデータが、メモリ上へ展開されて画像データが作成される。作成された画像データは、グラフィックスコントローラに読み出され、画像リフレッシュのために所定のリフレッシュレートでケーブルへ出力されると共に、第１の制御信号とクロック信号がケーブルへ出力される。ケーブルへ出力された画像データ、第１の制御信号及びクロック信号は、表示コントローラへ送られる。表示コントローラにより、前記第１の制御信号に基づき、第２の制御信号が列ドライバと行ドライバへ出力され、更に、画像データに含まれるピクセルデータが、列ドライバへ出力される。ピクセルデータは、列ドライバから出力され、行ドライバから出力される走査信号に基づき、表示パネルにて表示される。
【発明の開示】
【発明が解決しようとする課題】
【０００８】
しかしながら、従来の画像表示方法及び画像表示装置では、以下のような課題があった。
制御部と表示部を繋ぐケーブルが送信アンテナとなって電磁波が漏洩してしまう。この電磁波は、外部から傍受が可能であり、前記ケーブル内のピクセルデータが持つエネルギーの強弱が観測されてしまう。前記ケーブルから漏洩した電磁波を、盗聴装置の受信アンテナで受信し、盗聴装置に入力すると、前記表示パネルに表示される画像の輪郭が再現されてしまうという課題があった。この課題について、図２を参照して具体的に説明する。
【０００９】
図２は、従来の画像表示装置における表示パネルに表示されるピクセルデータに含まれる色データとケーブル内のピクセルデータに含まれる色データの関係を示す図である。
【００１０】
ここで、ピクセルデータは、赤、緑、青の各８ビットの色データの合計２４ビットで表し、縦軸をケーブル内の色データとし、横軸を表示パネルに表示される色データとし、１０進数で表す。点Ｘは、表示パネルに最も淡い色で表示される色データであり、点Ｙは、表示パネルに最も濃い色で表示される色データである。
【００１１】
表示部に表示される画像が白地に黒文字などのような濃淡の差が大きい画像である場合、点Ｘ，Ｙに対応したケーブル内の色データの値の差異も大きくなるため、電磁波盗聴を行った場合に、画像の輪郭を鮮明に再現されてしまう。つまり、濃淡の差が大きい視認しやすい画像ほど盗聴されやすい。
【課題を解決するための手段】
【００１２】
本発明の画像表示方法では、画像を表示するためのピクセルデータを入力し、所定のオフセット値を用いた演算によって、前記入力されたピクセルデータの加工を行い、前記加工されたピクセルデータをメモリ上に展開して画像データを作成し、前記作成された画像データを所定のリフレッシュレートで伝送路へ送る。そして、前記伝送路から送られてきた画像データを受信し、前記画像データを構成するピクセルデータに対し、前記オフセット値の逆演算によって復元し、前記復元されたピクセルデータを順次画面に表示する。
【００１３】
本発明の画像表示装置では、データを格納するメモリと、画像を表示するためのピクセルデータを入力し、所定のオフセット値を用いた演算によって、前記入力されたピクセルデータの加工を行い、前記加工されたピクセルデータを前記メモリ上に展開して画像データを作成する制御手段と、前記メモリから読み出した前記画像データを画面リフレッシュのために、所定のリフレッシュレートで出力する第１のコントローラと、前記第１のコントローラから出力された画像データを伝送する伝送路と、前記伝送路からの画像データを入力し、前記画像データに含まれる前記ピクセルデータに対して、前記オフセット値の逆演算を行って復元する第２のコントローラと、前記復元されたピクセルデータを順次画面に表示する表示手段とを有している。
【発明の効果】
【００１４】
本発明の画像表示方法及びそれを用いた画像表示装置によれば、入力されたピクセルデータに対して、所定のオフセット値を用いた演算を行うことによって、入力されたピクセルデータと伝送路内のピクセルデータとが異なる値となる。そのため、画像を見るユーザーには視認しやすく、伝送路からの漏洩電磁波による画像の盗聴が困難になり、電磁波盗聴者には視認しにくい画像を生成できる。また、電磁波盗聴者に対してのみ偽の画像や警告文を認識させることが可能となる。
【発明を実施するための最良の形態】
【００１５】
画像表示方法では、入力されたピクセルデータに対して所定のオフセット値を用いた演算を行い、この演算されたピクセルデータをメモリ上に展開して画像データを作成し、所定のリフレッシュレートでケーブルへ送る。そして、ケーブルから送られてきた画像データを受信し、この画像データを構成するピクセルデータに対し、前記オフセット値の逆演算によって復元し、画面に表示する。
【実施例１】
【００１６】
（実施例１の画像表示装置の構成）
図１は、本発明の実施例１を示す画像表示装置の概略の構成図である。
【００１７】
この画像表示装置は、ピクセルデータＤｉｎを入力して、画像データＤ２０、制御信号Ｓ２０及びクロック信号ＣＬＫを出力する制御部１０を有している。この制御部１０の出力側には、伝送路（例えば、ケーブル）３０を介して、画像を表示する表示部４０が接続されている。
【００１８】
制御部１０は、制御手段（例えば、ＣＰＵ）１１と、このＣＰＵ１１の出力側に接続され、ピクセルデータＤ１１を格納するメモリ１２と、このメモリ１２に接続された第１のコントローラ（例えば、グラフィックスコントローラ）２０とを有している。ＣＰＵ１１は、減算器１１ａを有し、ピクセルデータＤｉｎを入力し、減算器１１ａにより、ピクセルデータＤｉｎに対して所定のオフセット値の減算を行って、ピクセルデータＤ１１を生成し、このピクセルデータＤ１１をメモリ１２上に展開して画像データＤ１２を作成する回路である。グラフィックスコントローラ２０は、画像データＤ１２を読み出し、画面リフレッシュのために所定のリフレッシュレートで画像データＤ２０を出力すると共に、制御信号Ｓ２０、クロック信号ＣＬＫを出力する回路であり、この出力側に、ケーブル３０を介して表示部４０が接続されている。
【００１９】
表示部４０は、第２のコントローラ（例えば、表示コントローラ）４１を有している。表示コントローラ４１は、画像データＤ２０、制御信号Ｓ２０及びクロック信号ＣＬＫを入力して、ピクセルデータＤ４１ｂ及び制御信号Ｓ４１ａを出力するコントローラ本体４１ａと、ピクセルデータＤ２０に対して所定のオフセット値の加算を行って、ピクセルデータＤ４１ｂを生成する加算器４１ｂとを有する回路であり、この出力側に列ドライバ４２と行ドライバ４３とが接続されている。
【００２０】
列ドライバ４２は、ピクセルデータＤ４１ｂを入力し、制御信号Ｓ２０に基づきそのピクセルデータＤ４１ｂを駆動して、ピクセルデータＤ４２を出力する回路である。行ドライバ４３は、制御信号Ｓ２０に基づいて、走査信号Ｓ４３を出力する回路である。これらの列ドライバ４２及び行ドライバ４３の出力側には、表示手段（例えば表示パネル）４４が接続されている。表示パネル４４は、走査信号Ｓ４３に基づき、ピクセルデータＤ４２を表示する回路であり、液晶表示パネル等で構成されている。
【００２１】
図３は、図１中のグラフィックスコントローラ２０を示す概略の構成図である。
グラフィックスコントローラ２０は、メモリ１２からのデータの読出し等を行うメモリコントローラ２１を有している。このメモリコントローラ２１に、描画回路２２、及び、表示制御回路２３が接続されている。描画回路２２は、画像データＤ１２を変更し、変更した画像データＤ１２をメモリコントローラ２１を介して、メモリ１２へ書き込む回路である。
【００２２】
表示制御回路２３は、ピクセルデータＤ１２を入力し、所定のタイミングでそのピクセルデータＤ１２及び制御信号Ｓ２３を出力する回路であり、この出力側に、ラインバッファ２４、及び、出力回路２５が接続されている。ラインバッファ２４は、ピクセルデータＤ１２を一時的に保持して、所定のタイミングで出力回路２５へ出力する回路である。出力回路２５は、ピクセルデータＤ１２を入力し、制御信号Ｓ２３に基づき、所定のリフレッシュレートでピクセルデータＤ２０を出力すると共に、制御信号Ｓ２０とクロック信号ＣＬＫを出力する回路であり、この出力側にケーブル３０が接続されている。
【００２３】
（実施例１の画像表示方法）
本実施例１の画像表示方法では、以下の処理手順（１）〜（６）に従って画像表示が行われる。
【００２４】
ここで、例えば、２４ビットのピクセルデータに含まれる８ビットの赤、緑、青の色データＤｒ，Ｄｇ，Ｄｂは、１０進数に換算して０〜２５５の数値で表し、オフセット値は、中間値の１２７とする。
【００２５】
（１）  画像を表示するためのピクセルデータＤｉｎは、ＣＰＵ１０に入力され、このＣＰＵ１０中の減算器１１ａにより、ピクセルデータＤｉｎに含まれる色データＤｒ，Ｄｇ，Ｄｂからそれぞれオフセット値１２７が減算され、ピクセルデータＤ１１が生成される。減算結果がマイナスの場合は補数で表される。例えば、色データが−１のときは２５５となり、−２のときは２５４となる。
【００２６】
（２）  減算された色データＤｒ，Ｄｇ，Ｄｂを含むピクセルデータＤ１１は、ＣＰＵ１１により、メモリ１２上へ展開されて、画像データＤ１２が作成される。
【００２７】
（３）  作成された画像データＤ１２は、グラフィックスコントローラ２０に読み出され、画像リフレッシュのために所定のリフレッシュレートでケーブル３０へ出力される。
【００２８】
（４）  ケーブル３０から送られてきた画像データＤ２０は、表示コントローラ４１で受け取られ、この表示コントローラ４１中の加算器４１ｂにより、画像データＤ２０に含まれる色データＤｒ，Ｄｇ，Ｄｂに対して、それぞれオフセット値１２７が加算される。２５６以上の場合は０に戻り、桁上がりは無視する。
【００２９】
（５）  加算された色データＤｒ，Ｄｇ，Ｄｂを含むピクセルデータＤ４１ｂは、列ドライバ４２へ出力される。
【００３０】
（６）  列ドライバ４２からピクセルデータＤ４２が出力され、行ドライバ４３から走査信号Ｓ４３が出力される。ピクセルデータＤ４２は、走査信号Ｓ４３に基づき、表示パネル４４に表示される。
【００３１】
（実施例１の効果）
本実施例１の画像表示方法及び画像表示装置によれば、制御部１０のピクセルデータに対して所定のオフセット値の減算を行い、ケーブル３０のピクセルデータを変化させることで、以下の（１）、（２）のような効果がある。
【００３２】
（１）  図４は、図１の画像表示装置の表示パネル４４に表示される色データＤｒとケーブル３０内の色データＤｒの関係を示す図である。
【００３３】
この図４では、縦軸をケーブル３０の８ビットの色データＤｒとし、横軸を表示パネル４４に表示される８ビットの色データＤｒとし、１０進数で表す。点Ｘは、表示パネル４４に最も淡い色で表示される色データであり、点Ｙは、表示パネル４４に最も濃い色で表示される色データである。
【００３４】
表示パネル４４に表示される画像が白地に黒文字などのような濃淡の差が大きい画像であっても、点Ｘ，Ｙに対応したケーブル３０内の色データＤｒの値の差異はほとんどないので、ケーブル３０から漏洩する電磁波を使って表示パネル４４に表示される画像を盗聴した場合に、画像の輪郭を再現することは困難になる。従って、盗聴を防止する効果がある。
【００３５】
また、点Ｚ１，Ｚ２のように表示部に表示される画像において、色の濃淡の差がほとんどない場合では、点Ｚ１，Ｚ２に対応したケーブル３０内の色データＤｒの値の差異は大きいので、表示パネル４４を見るユーザーには視認しにくく、盗聴者には視認できる画像を生成することもできる。従って、盗聴者にのみ、偽の画像や警告文を認識させることも可能となり、盗聴を抑制する効果がある。
【００３６】
（２）  図５は、図１の画像表示装置におけるピクセルデータの変化を示す図であり、２４ビットのピクセルデータを１６進数で表している。
【００３７】
ここで、制御部１０においてピクセルデータＤＰ１とピクセルデータＤＰ４の値の差異は、２進数に換算して数えて２４個であり、ケーブル３０においてピクセルデータＤＰ１とピクセルデータＤＰ４の値の差異は３個である。従って、ケーブル３０におけるエネルギーの差異は、制御部１０におけるエネルギーの差異の１／８となるので、電磁波に基づいて画面を再現することは困難になる。従って、盗聴を防止する効果がある。
【００３８】
また、制御部１０においてピクセルデータＤＰ２とピクセルデータＤＰ３の値の差異は２進数に換算して数えて３個であり、ケーブル３０においてピクセルデータＤＰ２とピクセルデータＤＰ３の値の差異が２４個である。従って、ケーブル３０におけるエネルギーの差異は、制御部１０におけるエネルギーの差異の８倍となるので、表示パネル４４に表示される画像は、ほとんど認識できなくても、電磁波に基づいて再現された画像は、はっきり認識できる。このことを利用して、本来の画像と異なる画像を盗聴者に送ることができるので、盗聴を抑制する効果がある。
【実施例２】
【００３９】
（実施例２の画像表示装置の構成）
図６は、本発明の実施例２を示す画像表示装置の概略の構成図であり、実施例１を示す図１中の要素と共通の要素には、共通の符号が付されている。
【００４０】
この実施例２の画像表示装置は、実施例１とは構成の異なる制御部１０Ａと、実施例１と同様のケーブル３０及び表示部４０とで構成されている。制御部１０Ａは、実施例１の制御部１０とは異なり、グラフィックスコントローラ２０ＡでピクセルデータＤ１２に対して所定のオフセット値の減算を行うものである。
【００４１】
図７は、図６中のグラフィックスコントローラ２０Ａを示す概略の構成図である。
このグラフィックスコントローラ２０Ａは、ラインバッファ２４と出力回路２５の間に減算器２６が追加されている点が実施例１のグラフィックスコントローラ２０とは異なる。減算器２６は、ラインバッファ２４から入力されたピクセルデータＤ１２に対して所定のオフセット値の減算を行い、ピクセルデータＤ２０Ａを生成して、出力回路２５へピクセルデータＤ２０Ａを出力する回路である。その他の構成は実施例１のグラフィックスコントローラ２０と同様である。
【００４２】
（実施例２の画像表示方法）
本実施例２の画像表示方法では、以下の処理手順（１）〜（６）に従って画像表示が行われる。
【００４３】
ここで、例えば、２４ビットのピクセルデータに含まれる８ビットの赤、緑、青の各色の色データＤｒ，Ｄｇ，Ｄｂは、１０進数に換算して０〜２５５の数値で表し、オフセット値は、０〜２５５の中間値の１２７とする。
【００４４】
（１）  画像を表示するためのピクセルデータＤｉｎは、ＣＰＵ１１に入力され、ＣＰＵ１１により、メモリ１２上で展開されて、画像データＤ１２が作成される。
【００４５】
（２）  作成した画像データＤ１２は、グラフィックスコントローラ２０に読み出され、このグラフィックスコントローラ２０中の減算器２６により、画像データＤ１２に含まれる色データＤｒ，Ｄｇ，Ｄｂからそれぞれオフセット値１２７が減算され、画像データ２０Ａが生成される。減算結果がマイナスの場合は補数で表される。例えば、色データが−１のときは２５５となり、−２のときは２５４となる。
【００４６】
（３）  作成された画像データＤ１２は、グラフィックスコントローラ２０に読み出され、画像リフレッシュのために所定のリフレッシュレートでケーブル３０へ出力される。
【００４７】
（４）  ケーブル３０から送られてきた画像データＤ２０は、表示コントローラ４１で受け取られ、この表示コントローラ４１中の加算器４１ｂにより、画像データＤ２０に含まれる色データＤｒ，Ｄｇ，Ｄｂに対して、それぞれオフセット値１２７が加算される。２５６以上の場合は０に戻り、桁上がりは無視する。
【００４８】
（５）  加算された色データＤｒ，Ｄｇ，Ｄｂを含むピクセルデータＤ４１ｂは、列ドライバ４２へ出力される。
【００４９】
（６）  列ドライバ４２からピクセルデータＤ４２が出力され、行ドライバ４３から走査信号Ｓ４３が出力される。ピクセルデータＤ４２は、走査信号Ｓ４３に基づき、表示パネル４４に表示される。
【００５０】
（実施例２の効果）
本実施例２によれば、グラフィックスコントローラ２０Ａで画像データＤ１２に対して所定のオフセット値の減算を行うようにしたことで、実施例１の効果に加えて、以下のような効果がある。
【００５１】
画像データＤ１２の加工作業を画像リフレッシュ時にグラフィックスコントローラ２０Ａがハード的に行うため、ＣＰＵ１１の処理が不要となる。また、グラフィックスコントローラ２０Ａの描画性能にも影響しないため、従来のグラフィックスコントローラと比較しても性能は全く劣化しない。
【００５２】
（変形例）
本発明は、上記実施例１、２に限定されず、種々の利用形態や変形が可能である。この利用形態や変形例としては、例えば、次の（ａ）〜（ｆ）のようなものがある。
【００５３】
（ａ）  ピクセルデータＤｉｎ，Ｄ１２の加工処理を行うために減算器１１ａ，２６を用いたが、所定のオフセット値の加算を行う加算器に代えてもよい。ただし、加算器に代えた場合は、表示部４０の加算器４１ｂを所定のオフセット値の減算を行う減算器に代える。
【００５４】
（ｂ）  メモリ１２を用いたが、バッファ等のその他の記憶装置を用いてもよい。
【００５５】
（ｃ）  ＣＰＵ１１を用いたが、制御手段にＭＰＵ等のその他のプロセッサを用いてもよい。
【００５６】
（ｄ）  色データＤｒ，Ｄｇ，Ｄｂに対して、それぞれオフセット値１２７を減算したが、ピクセルデータＤｉｎ及び画像データＤ１２に対して、オフセット値８３８８６０７を減算してもよい。この場合は、画像データＤ２０に対してオフセット値８３８８６０７を加算する。
【００５７】
（ｅ）  オフセット値は１２７に設定したが、ケーブル３０のピクセルデータの値の差異が最小となるような数字でよい。
【００５８】
（ｆ）  ケーブル３０を用いたが、伝送路に有線に限定されず、無線でもよい。無線を使用した場合は、制御部１０と表示部４０の通信に使われている電波の盗聴を防ぐことができる。
【図面の簡単な説明】
【００５９】
【図１】本発明の実施例１を示す画像表示装置の概略の構成図である。
【図２】従来の画像表示装置における表示パネルに表示されるピクセルデータに含まれる色データとケーブル内のピクセルデータに含まれる色データの関係を示す図である。
【図３】図１中のグラフィックスコントローラ２０を示す概略の構成図である。
【図４】図１の画像表示装置の表示パネル４４に表示される色データＤｒとケーブル３０内の色データＤｒの関係を示す図である。
【図５】図１の画像表示装置におけるピクセルデータの変化を示す図である。
【図６】本発明の実施例２を示す画像表示装置の概略の構成図である。
【図７】図６中のグラフィックスコントローラ２０Ａを示す概略の構成図である。
【符号の説明】
【００６０】
１１      ＣＰＵ
１１ａ，２６      減算器
１２      メモリ
２０      グラフィックスコントローラ
３０      ケーブル
４１      表示コントローラ
４１ｂ      加算器
４４      表示パネル
【図１】
2008164711.tif 000003
【図２】
2008164711.tif 000004
【図３】
2008164711.tif 000005
【図４】
2008164711.tif 000006
【図５】
2008164711.tif 000007
【図６】
2008164711.tif 000008
【図７】
2008164711.tif 000009